(57)【要約】【課題】清掃性を向上できる便座を提供する。【解決手段】鉛直方向に沿う壁面を有する側壁部と、前記側壁部と接合され、下方に向いた底面を有する底板と、を備えた便座において、前記壁面よりも撥水性が高い撥水領域が、前記側壁部の直下の表面に設けられている。【選択図】図１
2018187350.tif 000002
【特許請求の範囲】
【請求項１】
鉛直方向に沿う壁面を有する側壁部と、
前記側壁部と接合され、下方に向いた底面を有する底板と、
を備え、
前記壁面よりも撥水性が高い撥水領域が、前記側壁部の直下の表面に設けられた便座。
【請求項２】
前記撥水領域の少なくとも一部は、前記側壁部の中心面よりも外側に位置する請求項１記載の便座。
【請求項３】
前記撥水領域と、前記表面の前記撥水領域以外の領域と、は滑らかに連なる請求項１または２に記載の便座。
【請求項４】
前記側壁部と前記底板とを接合し、外部に露出した露出面を有する接合部材をさらに備え、
前記露出面が前記撥水領域として機能する請求項１〜３のいずれか１つに記載の便座。
【請求項５】
鉛直方向に沿う壁面と、前記壁面の下端に連なり前記壁面よりも下方に向いた傾斜面と、を有する第１表面と、
前記傾斜面に連なり、下方に向いた第２表面と、
を備え、
前記傾斜面には、前記壁面よりも撥水性が高い撥水領域が設けられた便座。
【請求項６】
前記撥水領域と、前記第１表面の前記撥水領域以外の領域と、は滑らかに連なる請求項５記載の便座。
【請求項７】
前記第１表面を有する第１部材と、
前記第２表面の少なくとも一部を有する第２部材と、
前記第１部材と前記第２部材とを接合し、外部に露出した露出面を有する接合部材と、
を備え、
前記露出面が前記撥水領域として機能する請求項５または６に記載の便座。
【請求項８】
前記撥水領域は、シリコーン系樹脂、フッ素系樹脂、シリコーングラフトポリプロピレン、シリコーンゴム、およびシリコーンオイルの少なくともいずれかを含む請求項１〜７のいずれか１つに記載の便座。
【請求項９】
前記撥水領域は、表面に凹凸構造を有する請求項１〜８のいずれか１つに記載の便座。
【発明の詳細な説明】
【技術分野】
【０００１】
本発明の態様は、一般的に、便座に関する。
【背景技術】
【０００２】
便座は、例えば、臀部が接触する上板と、便器側に設けられる底板と、を嵌合または接合して構成される。特許文献１では、複数の樹脂製の部材を溶着によって接合して便座を形成し、これらの部材の接合箇所に塗料を塗着する技術が開示されている。
【先行技術文献】
【特許文献】
【０００３】
【特許文献１】特許第５２００４８５号公報
【発明の概要】
【発明が解決しようとする課題】
【０００４】
便座には、使用時や清掃時などに水が掛かることがある。このとき、便座の側壁面に付着した水滴は、壁面を伝って底面に広がり、水滴に含まれる埃などの汚れが便座の広い範囲に付着する場合がある。従って、従来の便座では、清掃時に底面の広い範囲を清掃しなければならず、清掃性の観点で未だ改善の余地があった。
本発明は、かかる課題の認識に基づいてなされたものであり、清掃性を向上できる便座を提供することを目的とする。
【課題を解決するための手段】
【０００５】
第１の発明は、鉛直方向に沿う壁面を有する側壁部と、前記側壁部と接合され、下方に向いた底面を有する底板と、を備え、前記壁面よりも撥水性が高い撥水領域が、前記側壁部の直下の表面に設けられた便座である。
【０００６】
この便座によれば、壁面を流れた水滴が、底面に回り込む際に、撥水領域によって弾かれて便座から滴下する。従って、水滴に含まれる汚れが底面に広がり難く、清掃時に底面の広い範囲を清掃する必要が無いため、便座の清掃性を向上させることができる。
【０００７】
第２の発明は、第１の発明において、前記撥水領域の少なくとも一部は、前記側壁部の中心面よりも外側に位置する便座である。
【０００８】
この便座によれば、底面において水滴が広がる範囲をより狭くでき、便座の清掃性をさらに向上させることができる。
【０００９】
第３の発明は、第１または第２の発明において、前記撥水領域と、前記表面の前記撥水領域以外の領域と、は滑らかに連なる便座である。
【００１０】
この便座によれば、水滴が底面に広がることを効果的に抑制するとともに、水滴が底面から滴下せずに撥水領域近傍に留まった場合でも、その汚れを容易に拭き取ることができる。従って、この便座によれば、汚れが残りにくく且つ汚れを拭き取り易くなり、清掃性をさらに高めることが可能となる。
【００１１】
第４の発明は、第１〜第３のいずれか１つの発明において、前記側壁部と前記底板とを接合し、外部に露出した露出面を有する接合部材をさらに備え、前記露出面が前記撥水領域として機能する便座である。
【００１２】
この便座によれば、例えば、接合部材の形成時にあわせて撥水領域を形成することが可能となり、製造が容易となる。また、接合部材は、側壁部と底板とを接合するために、壁面の下端に近接して設けられる。従って、露出面が撥水領域として機能することで、水滴が底面に広がることを効果的に防ぐことができる。
【００１３】
第５の発明は、鉛直方向に沿う壁面と、前記壁面の下端に連なり前記壁面よりも下方に向いた傾斜面と、を有する第１表面と、前記傾斜面に連なり、下方に向いた第２表面と、を備え、前記傾斜面には、前記壁面よりも撥水性が高い撥水領域が設けられた便座である。
【００１４】
この便座によれば、壁面を流れた水滴が、第２表面に回り込む際に、撥水領域によって弾かれて便座から滴下する。従って、水滴に含まれる汚れが底面に広がり難く、清掃時に底面の広い範囲を清掃する必要が無い。また、撥水領域が傾斜面に設けられることで、水滴が壁面から傾斜面に容易に回り込むとともに、撥水領域で弾かれて滴下し易くなる。これにより、便座の清掃性を向上させることができる。
【００１５】
第６の発明は、第５の発明において、前記撥水領域と、前記第１表面の前記撥水領域以外の領域と、は滑らかに連なる便座である。
【００１６】
この便座によれば、水滴が第２表面に広がることを効果的に抑制するとともに、水滴が滴下せずに撥水領域近傍に留まった場合でも、その汚れを容易に拭き取ることができる。従って、この便座によれば、汚れが残りにくく且つ汚れを拭き取り易くなり、清掃性をさらに高めることが可能となる。
【００１７】
第７の発明は、第５または第６の発明において、前記第１表面を有する第１部材と、前記第２表面の少なくとも一部を有する第２部材と、前記第１部材と前記第２部材とを接合し、外部に露出した露出面を有する接合部材と、を備え、前記露出面が前記撥水領域として機能する便座である。
【００１８】
この便座によれば、例えば、接合部材の形成時にあわせて撥水領域を形成することが可能となり、製造が容易となる。また、接合部材は、第１部材と第２部材を接合するために、第２表面の端に近接して設けられる。従って、露出面が撥水領域として機能することで、水滴が第２表面に広がることを効果的に防ぐことができる。
【００１９】
第８の発明は、第１〜第７のいずれか１つの発明において、前記撥水領域は、シリコーン系樹脂、フッ素系樹脂、シリコーングラフトポリプロピレン、シリコーンゴム、およびシリコーンオイルの少なくともいずれかを含む便座である。
【００２０】
凹凸構造などによって撥水領域に撥水性が付与される場合、便座の使用に伴って凹凸構造の変形や損傷により撥水性が低下する可能性があるが、この便座によれば、材料によって撥水性が付与されるため、このような撥水性の低下を抑制することができる。
【００２１】
第９の発明は、第１〜第８のいずれか１つの発明において、前記撥水領域は、表面に凹凸構造を有する便座である。
【００２２】
材料の特性によって撥水性が付与される場合、時間の経過や周囲の環境によって材質が変化し、撥水性が低下する可能性があるが、この便座によれば、凹凸構造によって撥水領域に撥水性が付与されるため、このような撥水性の低下を抑制することができる。
【発明の効果】
【００２３】
本発明の態様によれば、清掃性を向上できる便座が提供される。
【図面の簡単な説明】
【００２４】
【図１】実施形態に係る便座を備えたトイレ装置を表す斜視図である。
【図２】実施形態に係る便座を表す分解斜視図である。
【図３】実施形態に係る便座の一部を表す斜視断面図である。
【図４】図３の断面の一部を拡大した断面図である。
【図５】実施形態に係る便座の撥水領域の表面構造を表す断面図である。
【図６】実施形態に係る便座の製造工程を表す断面図である。
【図７】実施形態に係る便座の一部を表す斜視断面図である。
【図８】実施形態に係る便座の一部を表す斜視断面図である。
【図９】実施形態の第１変形例に係る便座の一部を表す断面図である。
【図１０】実施形態の第２変形例に係る便座の一部を表す断面図である。
【図１１】実施形態の第２変形例に係る便座の一部を表す断面図である。
【発明を実施するための形態】
【００２５】
以下、本発明の実施形態について図面を参照しつつ説明する。なお、各図面中、同様の構成要素には同一の符号を付して詳細な説明は適宜省略する。  
【００２６】
図１は、実施形態に係る便座を備えたトイレ装置を表す斜視図である。  
図１に表したように、トイレ装置２は、便座装置４と、洋式腰掛便器（以下、単に「便器」という）６と、を備える。
【００２７】
便座装置４は、便器６の上に取り付けられる。便座装置４は、便器６に対して一体的に取り付けてもよいし、便器６に対して着脱可能に取り付けてもよい。便座装置４は、便座１０と、便蓋１２と、本体部１４と、を有する。
【００２８】
ここで、本願明細書においては、便座１０に座った使用者からみて上方を「上方」とし、便座１０に座った使用者からみて下方を「下方」とする。また、開いた状態の便蓋１２に背を向けて便座１０に座った使用者からみて左右方向を、それぞれ「左側方」および「右側方」とし、前後方向を、それぞれ「前方」および「後方」とする。図１には、上方ＵＷ、下方ＤＷ、左側方ＬＷ、右側方ＲＷ、前方ＦＷ、および後方ＢＷの一例が表されている。
【００２９】
便器６は、下方に向けて窪んだボウル部６ａを有する。便器６は、ボウル部６ａにおいて使用者の尿や便などの排泄物を受ける。便座装置４の本体部１４は、便器６のボウル部６ａよりも後方の上部に設けられる。本体部１４は、便座１０及び便蓋１２を開閉可能に軸支している。
【００３０】
便座１０は、開口部１０ａを有する。便座１０は、ボウル部６ａの外縁を囲むように便器６の上に設けられ、開口部１０ａを介してボウル部６ａが露呈される。これにより、使用者は、便座１０に座った状態でボウル部６ａに排泄を行うことができる。この例では、貫通孔状の開口部１０ａが形成された、いわゆるＯ型の便座１０を示している。便座１０は、Ｏ型に限ることなく、Ｕ字型などでもよい。便座１０の内部には、着座部（使用者の臀部が接する部分）を温めるヒータ等が適宜設けられる。
【００３１】
図２は、実施形態に係る便座を表す分解斜視図である。  
図３は、実施形態に係る便座の一部を表す斜視断面図である。  
【００３２】
図２及び図３に表したように、便座１０は、底板１００および上板２００を有する。上板２００は、底板１００の上に設けられ、底板１００と上板２００は、接合部材３１０および接合部材３２０によって接合されている。
【００３３】
以下で、便座１０のより具体的な構造について説明する。なお、ここでは、「上方」や「下方」などの方向は、便座１０の底板１００が水平面上に載置された状態を基準にしている。
【００３４】
図２に表したように、底板１００および上板２００は、それぞれ、開口部１００ａ及び開口部２００ａを有する。底板１００および上板２００を上方から見た形状は、便座１０を上方から見た形状と実質的に同じである。すなわち、底板１００および上板２００を上方から見た形状は、環状又はＵ字状である。底板１００の開口部１００ａおよび上板２００の開口部２００ａによって、便座１０の開口部１０ａが形成される。
【００３５】
底板１００は、内周支持部１１０、外周支持部１２０、および底板基部１３０を有する。底板基部１３０は、厚みが略一様であり、例えば、前部が水平方向に沿って設けられ、後部が上方に向かって傾斜している。底板基部１３０には、便器６の上面と接する支持足１３１が適宜設けられる。内周支持部１１０は、底板基部１３０に対して、便座１０の内周側に設けられている。外周支持部１２０は、底板基部１３０に対して、便座１０の外周側に設けられている。
【００３６】
上板２００は、内周側壁部２１０、外周側壁部２２０、および着座部２３０を有する。着座部２３０は、便座１０に着座した使用者の臀部を下方から支持する。着座部２３０は、内周側壁部２１０および外周側壁部２２０によって下方から支持されている。内周側壁部２１０は、着座部２３０に対して、便座１０の内周側に設けられている。外周側壁部２２０は、着座部２３０に対して、便座１０の外周側に設けられている。
【００３７】
図３に表したように、内周側壁部２１０および外周側壁部２２０は、それぞれ、内周支持部１１０および外周支持部１２０の上に設けられている。内周側壁部２１０の下端は、接合部材３１０によって内周支持部１１０と接合され、外周側壁部２２０の下端は、接合部材３２０によって外周支持部１２０と接合されている。
【００３８】
底板基部１３０と着座部２３０は、鉛直方向において離間している。また、内周側壁部２１０と外周側壁部２２０は、水平方向において離間している。これにより、便座１０には、底板１００および上板２００によって囲まれた内部空間Ｓが形成されている。
【００３９】
なお、便座１０がＵ字状である場合などは、内周支持部１１０と外周支持部１２０が底板基部１３０の周りで連なり、内周側壁部２１０と外周側壁部２２０が着座部２３０の周りで連なっていても良い。この場合、接合部材３１０と接合部材３２０は、底板基部１３０の周りで連続し、一体に設けられていても良い。
【００４０】
また、便座１０は、図３に表したように、第１表面Ｓ１および第２表面Ｓ２を有する。第１表面Ｓ１は、例えば、内周側壁部２１０の表面、外周側壁部２２０の表面、および着座部２３０の表面を含む。第２表面Ｓ２は、例えば、底板１００の底面、接合部材３１０および接合部材３２０の露出面を含む。すなわち、第１表面Ｓ１は、円弧状を呈しており、第２表面Ｓ２は、水平方向に略平行である。
【００４１】
図４は、図３の断面の一部を拡大した断面図である。
図４（ａ）は、内周支持部１１０の一部および内周側壁部２１０の一部を表している。図４（ｂ）は、外周支持部１２０の一部および外周側壁部２２０の一部を表している。
【００４２】
ここで、本願明細書においては、内部空間Ｓから水平方向に沿って上板２００に向かう方向を「外側」とし、上板２００から水平方向に沿って内部空間Ｓに向かう方向を「内側」とする。図４（ａ）では、内周側壁部２１０を基準として内側ＩＷおよび外側ＯＷを表し、図４（ｂ）では、外周側壁部２２０を基準として内側ＩＷおよび外側ＯＷを表している。
【００４３】
図４（ａ）および図４（ｂ）に表したように、第１表面Ｓ１は、側方に向いている。第２表面Ｓ２は、第１表面Ｓ１の下端と連なり、下方に向いている。例えば、上板２００（第１部材）が第１表面Ｓ１と第２表面Ｓ２の一部とを有し、底板１００（第２部材）が、第２表面Ｓ２の他の一部を有している。
【００４４】
具体的には、第１表面Ｓ１は、鉛直方向に沿う壁面ＷＳａおよび壁面ＷＳｂを有する。壁面ＷＳａおよび壁面ＷＳｂは、鉛直方向に平行でも良いし、鉛直方向に対して少し傾斜していても良い。壁面ＷＳａおよび壁面ＷＳｂの鉛直方向に対する傾きは、１０度以下であることが好ましい。また、第１表面Ｓ１は、壁面ＷＳａの下方に設けられた傾斜面ＩＳａと、壁面ＷＳｂの下方に設けられた傾斜面ＩＳｂと、をさらに有する。
【００４５】
第２表面Ｓ２は、傾斜面ＩＳａの下端および傾斜面ＩＳｂの下端と連なっている。第２表面Ｓ２は、水平方向に平行でも良いし、水平方向に対して少し傾斜していても良い。第２表面Ｓ２の水平方向に対する傾きは、１０度以下であることが好ましい。
【００４６】
第２表面Ｓ２は、撥水領域Ｒ１および撥水領域Ｒ２を有する。撥水領域Ｒ１および撥水領域Ｒ２は、例えば、第２表面Ｓ２の一部に設けられている。撥水領域Ｒ１および撥水領域Ｒ２は、第１表面Ｓ１よりも撥水性が高い。また、撥水領域Ｒ１および撥水領域Ｒ２は、第２表面Ｓ２の他の領域よりも撥水性が高い。
【００４７】
ここで、このような表面特性を有する底板１００および上板２００の具体的な構造について説明する。
図４（ａ）に表したように、内周支持部１１０は、内側リブ１１１および外側リブ１１２を有する。内周側壁部２１０は、側壁基部２１１、差込部２１２、垂下部２１３、および凹部２１４を有する。
【００４８】
内側リブ１１１および外側リブ１１２は、上方に向けて突出している。内側リブ１１１は、例えば内部空間Ｓに面している。外側リブ１１２は、内側リブ１１１の外側に設けられ、内側リブ１１１から離間している。これにより、内側リブ１１１と外側リブ１１２との間には、下方に向けて窪んだ凹部２１４が形成されている。
【００４９】
側壁基部２１１は、鉛直方向において厚みが略一定である。例えば、側壁基部２１１における厚みは、内周側壁部２１０の他の部分の厚みよりも大きい。差込部２１２は、内周側壁部２１０の内側下方に設けられ、側壁基部２１１の下方に位置している。差込部２１２は、内側リブ１１１と外側リブ１１２との間に設けられ、内周支持部１１０に当接している。すなわち、内周支持部１１０および内周側壁部２１０には、鉛直方向において嵌合する凹凸構造が設けられている。
【００５０】
着座部２３０に使用者が着座すると、その荷重の一部は内周側壁部２１０に加わる。このとき、差込部２１２に伝わった荷重が、内周支持部１１０によって下方から支持される。突出部１４０は、内周支持部１１０よりも外側に位置し、内周支持部１１０に対して外側に向けて突出している。
【００５１】
垂下部２１３は、内周側壁部２１０の外側下方に設けられ、下方に延びている。垂下部２１３は、差込部２１２よりも外側に設けられ、差込部２１２から離間している。これにより、差込部２１２と垂下部２１３との間に、上方に向けて窪んだ凹部２１４が形成されている。外側リブ１１２は、差込部２１２と垂下部２１３との間に設けられ、凹部２１４内に位置している。
【００５２】
突出部１４０は、凹部２１４の下方に位置し、凹部２１４と鉛直方向において離間している。垂下部２１３は、外側リブ１１２と水平方向において離間している。また、垂下部２１３の下端は、突出部１４０と水平方向において離間している。これらの部材が鉛直方向および水平方向において離間して形成された空間には、内周支持部１１０と内周側壁部２１０とを接合する接合部材３１０が設けられている。
【００５３】
接合部材３１０は、外部に露出した露出面３１０ａを有する。露出面３１０ａは、例えば、突出部１４０の底面および垂下部２１３の下端と同じ高さにあり、これらの間に設けられている。すなわち、突出部１４０の底面、露出面３１０ａ、および垂下部２１３の下端は、例えば、水平方向に沿って面一に設けられている。
【００５４】
図４（ｂ）に表したように、外周支持部１２０は、内側リブ１２１および外側リブ１２２を有する。外周側壁部２２０は、側壁基部２２１、差込部２２２、垂下部２２３、および凹部２２４を有する。外周支持部１２０および外周側壁部２２０の接合部材３２０近傍の構造は、例えば、内周支持部１１０および内周側壁部２１０の接合部材３１０近傍の構造と、それぞれ水平方向において実質的に対称な構造を有する。
【００５５】
すなわち、差込部２２２は、内側リブ１２１および外側リブ１２２との間に設けられ、外周支持部１２０によって下方から支持される。突出部１５０は、外周支持部１２０よりも外側に位置し、これらの部分に対して外側に向けて突出している。
【００５６】
突出部１５０は、鉛直方向において凹部２２４から離間している。垂下部２２３は、外側リブ１２２および突出部１５０と水平方向において離間している。突出部１５０、外側リブ１２２、垂下部２２３、および凹部２２４に囲まれた空間には、外周支持部１２０と外周側壁部２２０とを接合する接合部材３２０が設けられている。
【００５７】
接合部材３２０は、外部に露出した露出面３２０ａを有する。露出面３２０ａは、例えば、突出部１５０の底面および垂下部２２３の下端と同じ高さにあり、これらの間に設けられている。すなわち、突出部１５０の底面、露出面３２０ａ、および垂下部２２３の下端は、例えば、水平方向に沿って面一に設けられている。
【００５８】
すなわち、図４（ａ）および図４（ｂ）に表した例では、内周側壁部２１０が壁面ＷＳａを有し、外周側壁部２２０が壁面ＷＳｂを有する。また、第２表面Ｓ２は、内周支持部１１０、外周支持部１２０、底板基部１３０、垂下部２１３、および垂下部２２３のそれぞれの底面と、露出面３１０ａと、露出面３２０ａと、から構成されている。そして、例えば、露出面３１０ａおよび露出面３２０ａが、それぞれ、撥水領域Ｒ１および撥水領域Ｒ２として機能する。
【００５９】
底板１００、上板２００、接合部材３１０、および接合部材３２０は、例えば、ポリプロピレン、ＡＢＳ（Acrylonitrile-Butadiene-Styrene）、ＰＢＴ（Polybutylene Terephthalate）、またはポリカーボネート系複合材料などの比較的疎水性の高い樹脂を含む。例えば、接合部材３１０および接合部材３２０に含まれるこれらの樹脂の割合は、底板１００および上板２００に含まれる樹脂の割合よりも高い。これにより、露出面３１０ａおよび露出面３２０ａに撥水性が付与され、これらの露出面が撥水領域Ｒ１および撥水領域Ｒ２として機能する。
【００６０】
あるいは、上述した樹脂に加えて、接合部材３１０および接合部材３２０は、例えば、シリコーングラフトポリプロピレン、シリコーンゴム、およびシリコーンオイルの少なくともいずれかをさらに含んでいても良い。接合部材３１０および接合部材３２０がこれらの材料を含むことで、露出面３１０ａおよび露出面３２０ａの撥水性をより高めることができる。
または、露出面３１０ａおよび露出面３２０ａに、撥水性を有する材料が塗布され、撥水領域Ｒ１および撥水領域Ｒ２が形成されても良い。この場合、露出面３１０ａおよび露出面３２０ａに加えて、底板１００の底面１００ｂの他の少なくとも一部に撥水性を有する材料が塗布されても良い。あるいは、底面１００ｂの全面に撥水性を有する材料が塗布されても良い。塗布される材料は、例えば、シリコーン系樹脂およびフッ素系樹脂の少なくともいずれかを含む。
すなわち、撥水領域Ｒ１および撥水領域Ｒ２は、シリコーン系樹脂、フッ素系樹脂、シリコーングラフトポリプロピレン、シリコーンゴム、およびシリコーンオイルの少なくともいずれかを含むことが望ましい。これにより撥水領域Ｒ１および撥水領域Ｒ２の撥水性をより高めることができる。
【００６１】
なお、底板１００および上板２００に、シリコーングラフトポリプロピレン、シリコーンゴム、およびシリコーンオイルの少なくともいずれかが含まれていても良い。この場合、接合部材３１０および接合部材３２０に含まれるこれらの材料の割合を、底板１００および上板２００に含まれる材料の割合よりも高くすることで、露出面３１０ａおよび露出面３２０ａの撥水性を、第１表面Ｓ１の撥水性よりも高くすることができる。
また、第１表面Ｓ１の表面に、シリコーン系樹脂およびフッ素系樹脂の少なくともいずれかが含まれていても良い。この場合、撥水領域Ｒ１および撥水領域Ｒ２を形成するために塗布するこれらの材料の割合を、第１表面Ｓ１における材料の割合よりも高くすることで、第２表面Ｓ２の少なくとも一部に撥水領域Ｒ１および撥水領域Ｒ２を形成することができる。
【００６２】
または、撥水領域Ｒ１および撥水領域Ｒ２は、水を弾くための微細な凹凸構造を表面に有していても良い。
図５は、実施形態に係る便座の撥水領域の表面構造を表す断面図である。
【００６３】
例えば図５（ａ）に表したように、撥水領域Ｒ１および撥水領域Ｒ２には、複数の溝Ｔが設けられる。溝Ｔの側壁は、鉛直方向に略平行である。溝Ｔのピッチは、例えば、５μｍ以上２０μｍ以下である。すなわち、溝Ｔ同士の間の突部Ｐの幅Ｗ１と、溝Ｔの幅Ｗ２と、の和は、例えば、５μｍ以上２０μｍ以下である。また、溝Ｔの幅Ｗ２に対する突部Ｐの幅Ｗ１の比（Ｗ２／Ｗ１）は、例えば２以下である。
【００６４】
または、図５（ｂ）に表したように、溝Ｔの側壁が、鉛直方向に対して傾斜していても良い。この場合も、溝Ｔのピッチは、例えば、５μｍ以上２０μｍ以下である。すなわち、溝Ｔ同士の間において、高さが最も高い突部Ｐが、５μｍ以上２０μｍ以下ごとに設けられる。
【００６５】
図６は、実施形態に係る便座の製造工程を表す断面図である。図６では、内周支持部１１０の一部および内周側壁部２１０の一部を表している。
上述した通り、外周支持部１２０および外周側壁部２２０の接合部材３２０近傍の構造は、例えば、内周支持部１１０および内周側壁部２１０の接合部材３１０近傍の構造と、それぞれ実質的に同様である。このため、ここでは内周支持部１１０の一部および内周側壁部２１０の一部を例に挙げて、便座１０の製造工程を説明する。
【００６６】
まず、着座部２３０を下にして上板２００を載置し、上板２００の上に底板１００を配する。このとき、図６に表したように、内周側壁部２１０が内周支持部１１０に当接し、突出部１４０と垂下部２１３との間に隙間が出来るように、内周支持部１１０を内周側壁部２１０の上に配する。
【００６７】
この状態で、金型Ｍ１を上板２００の側方に配するとともに、金型Ｍ２により底板１００を上方から押圧する。金型Ｍ２には、接合部材３１０としての樹脂を注入するためのゲートＧが設けられている。このゲートＧが、突出部１４０と垂下部２１３との隙間に位置するように、金型Ｍ２を上板２００の上に配する。
【００６８】
この状態で、突出部１４０と垂下部２１３との隙間に、加熱した樹脂をゲートＧから注入する。加熱された樹脂が隙間に注入されると、底板１００および上板２００の樹脂と接する面が熱によって溶融し、樹脂と混ざり合う。その後、樹脂が冷えて硬化することで、底板１００と上板２００が接合される。
【００６９】
このとき、加熱して注入する樹脂として、撥水性を発揮する樹脂材料を用いて底板１００と上板２００とを接合することで、露出面３１０ａに撥水性を付与することができる。または、撥水領域Ｒ１と対向する面に微細な凹凸構造が表面に形成された金型Ｍ２を用いることで、露出面３１０ａの表面に凹凸構造を形成し、撥水性を付与しても良い。あるいは、樹脂が硬化した後に、露出面３１０ａ等に、撥水性を有する材料を塗布しても良い。底板１００と上板２００の接合後は、垂下部２１３の下端の面取りや、樹脂のバリ取りなどが適宜行われても良い。以上により、実施形態に係る便座１０が作製される。
【００７０】
ここで、実施形態の効果について説明する。
ここでは、第１表面Ｓ１の壁面ＷＳａおよび壁面ＷＳｂを、まとめて壁面ＷＳとし、傾斜面ＩＳａおよび傾斜面ＩＳｂを、まとめて傾斜面ＩＳと称して説明する。
【００７１】
上板２００の壁面ＷＳに水滴が付着すると、この水滴は、壁面ＷＳを伝って下方に流れていく。水滴は、第１表面Ｓ１の下端に達すると、第２表面Ｓ２に回り込む場合がある。水滴が第２表面Ｓ２に回り込んで第２表面Ｓ２に広がると、水滴に含まれる埃などの汚れも第２表面Ｓ２に広がってしまう。従って、水滴が第２表面Ｓ２に広がると、第２表面Ｓ２において清掃しなければならない範囲が広がり、便座１０の清掃性が低下する。
【００７２】
これに対して、本実施形態に係る便座１０では、第１表面Ｓ１から第２表面Ｓ２に流れる水滴が第２表面Ｓ２に広がることを防ぐための撥水領域Ｒ１および撥水領域Ｒ２を、第２表面Ｓ２が有する。この撥水領域Ｒ１および撥水領域Ｒ２は、第１表面Ｓ１よりも撥水性が高い。このため、第１表面Ｓ１の下端に流れた水滴は、第２表面Ｓ２に回り込む際に、この撥水領域Ｒ１および撥水領域Ｒ２によって弾かれ、便座１０から滴下する。従って、本実施形態によれば、水滴に含まれる汚れが第２表面Ｓ２に広がり難く、清掃時に第２表面Ｓ２の広い範囲を清掃する必要が無いため、便座１０の清掃性を向上させることができる。
【００７３】
図７および図８は、実施形態に係る便座の一部を表す断面図である。
図７（ａ）および図８（ａ）は、内周支持部１１０の一部および内周側壁部２１０の一部を表している。図７（ｂ）および図８（ｂ）は、外周支持部１２０の一部および外周側壁部２２０の一部を表している。
【００７４】
水滴が第２表面Ｓ２に広がることを防ぐためには、撥水領域Ｒ１は、便座１０の表面において、内周側壁部２１０の直下に位置することが望ましい。撥水領域Ｒ２は、便座１０の表面において、外周側壁部２２０の直下に位置することが望ましい。換言すると、図７（ａ）に表したように、壁面ＷＳａと撥水領域Ｒ１との間の水平方向における距離Ｄ１は、内周側壁部２１０の厚みＴ１以下である。図７（ｂ）に表したように、壁面ＷＳｂと撥水領域Ｒ２との間の水平方向における距離Ｄ２は、外周側壁部２２０の厚みＴ２以下である。この構成によれば、水滴が底面１００ｂの内側（内部空間Ｓ直下の領域）にまで広がることを防止でき、便座１０の清掃性を向上させることができる。なお、厚みＴ１は、例えば、内周側壁部２１０において厚みが略一定である側壁基部２１１の水平方向における厚みである。厚みＴ２は、例えば、外周側壁部２２０において厚みが略一定である側壁基部２２１の水平方向における厚みである。
【００７５】
より望ましくは、撥水領域Ｒ１は内周側壁部２１０の中心面Ｃ１よりも外側に位置し、撥水領域Ｒ２は外周側壁部２２０の中心面Ｃ２よりも外側に位置する。中心面Ｃ１は、内周側壁部２１０において、厚みの中心点同士を結んで得られる面である。中心面Ｃ１は、例えば、厚みが略一様の側壁基部２１１をもとにして得られる。同様に、中心面Ｃ２は、外周側壁部２２０において、厚みの中心点同士を結んで得られる面である。中心面Ｃ２は、例えば、厚みが略一様の側壁基部２２１をもとにして得られる。
換言すると、距離Ｄ１は、厚みＴ１の０．５倍以下であり、距離Ｄ２は、厚みＴ２の０．５倍以下であることが望ましい。この構成によれば、底面１００ｂにおいて水滴が広がる範囲をより狭くでき、便座１０の清掃性をさらに向上させることができる。
【００７６】
例えば、便器の上に便座が下げられた状態で便座の底面を拭いて清掃する場合、典型的な便器と便座では、端から２ｍｍ程度まで指を入れることができる。従って、撥水領域Ｒ１と第１表面Ｓ１の下端との間の距離Ｄ３および撥水領域Ｒ２と第１表面Ｓ１の下端と、の間の距離Ｄ４は、２ｍｍ以下であることが望ましい。このような構成によれば、第２表面Ｓ２に回り込んだ水滴を滴下させつつ、第２表面Ｓ２に水が留まった場合でも、拭き掃除が容易な範囲にのみ汚れが付着するため、便座１０を容易に清掃することができ、便座１０の清掃性を向上させることができる。
【００７７】
露出面３１０ａの幅Ｗ３および露出面３２０ａの幅Ｗ４は、例えば、１ｍｍである。露出面３１０ａおよび露出面３２０ａが撥水領域として機能する場合、距離Ｄ３は幅Ｗ３以下であり、距離Ｄ４は幅Ｗ４以下であっても良い。この構成によれば、同様に、第２表面Ｓ２に水が留まった場合でも、拭き掃除が容易な範囲にのみ汚れが付着する。このため、便座１０を容易に清掃することができ、便座１０の清掃性を向上させることができる。
【００７８】
なお、第２表面Ｓ２の全面に撥水領域が設けられていても良い。この場合は、撥水領域と第１表面Ｓ１の下端との間の距離は、０ｍｍとなる。このような形態も、上述した、撥水領域第１表面Ｓ１の下端との間の距離が２ｍｍ以下である形態に含まれる。
【００７９】
第２表面Ｓ２は、壁面ＷＳの下端と直接連なっていても良いが、第２表面Ｓ２と壁面ＷＳとの間に傾斜面ＩＳが設けられていることが望ましい。水平方向および鉛直方向に対して傾斜した傾斜面ＩＳが設けられ、第２表面Ｓ２が傾斜面ＩＳと連なっていることで、壁面ＷＳを流れた水滴が、第１表面Ｓ１の下端に留まらずに第２表面Ｓ２に回り込み易くなる。そして、第２表面Ｓ２に回り込んだ水滴は、撥水領域Ｒ１および撥水領域Ｒ２によって弾かれ、滴下する。従って、このような構成によれば、便座１０の表面に水滴が留まり難くなり、水滴に含まれる汚れが便座１０に付着することを抑制できる。このため、便座１０の清掃性をさらに向上させることができる。
【００８０】
図８（ａ）に表したように、傾斜面ＩＳａは、湾曲し、壁面ＷＳａおよび第２表面Ｓ２と滑らかに連なっていても良い。図８（ｂ）に表したように、傾斜面ＩＳｂは、湾曲し、壁面ＷＳｂおよび第２表面Ｓ２と滑らかに連なっていても良い。
【００８１】
この場合、底面１００ｂに対して傾斜し始めた点が、傾斜面ＩＳａの下端および傾斜面ＩＳｂの下端に対応する。すなわち、これらの点が、第１表面Ｓ１の下端に対応する。同様に、壁面ＷＳａに対して傾斜し始めた点が、傾斜面ＩＳａの上端に対応する。壁面ＷＳｂに対して傾斜し始めた点が、傾斜面ＩＳｂの上端に対応する。
【００８２】
傾斜面ＩＳａおよび傾斜面ＩＳｂが湾曲していることで、水滴がより第１表面Ｓ１から第２表面Ｓ２に回り込み易くなる。この結果、水滴が第２表面Ｓ２の撥水領域Ｒ１およびＲ２で弾かれて滴下し易くなり、便座１０の清掃性をさらに向上させることができる。
【００８３】
撥水領域Ｒ１および撥水領域Ｒ２は、例えば、シリコーン系樹脂、フッ素系樹脂、シリコーングラフトポリプロピレン、シリコーンゴム、およびシリコーンオイルの少なくともいずれかを含むことにより、撥水性を有する。または、撥水領域Ｒ１および撥水領域Ｒ２は、表面に凹凸構造を有し、この凹凸構造により撥水性が付与される。
【００８４】
凹凸構造などによって撥水性が付与される場合、便座１０の使用に伴って凹凸構造の変形や損傷により撥水性が低下する可能性があるが、材料によって撥水性が付与されることで、このような撥水性の低下を抑制することができる。
または、材料の特性によって撥水性が付与される場合、時間の経過や周囲の環境によって材質が変化し、撥水性が低下する可能性があるが、凹凸構造によって撥水性が付与されることで、このような撥水性の低下を抑制することができる。
あるいは、撥水領域Ｒ１および撥水領域Ｒ２は、撥水性を有する材料を含み、かつ表面に凹凸構造を有していても良い。こうすることで、撥水領域Ｒ１および撥水領域Ｒ２における撥水性をさらに高めることが可能となる。
【００８５】
例えば、接合部材３１０の露出面３１０ａおよび接合部材３２０の露出面３２０ａが、撥水領域Ｒ１および撥水領域Ｒ２として機能する。これらの露出面に撥水性を持たせることで、例えば、接合部材３１０および接合部材３２０の形成時に、あわせて撥水領域Ｒ１および撥水領域Ｒ２を形成することが可能となり、便座１０の製造が容易となる。また、接合部材３１０および接合部材３２０は、底板１００と上板２００とを接合するため、壁面ＷＳａ下端および壁面ＷＳｂ下端（第２表面Ｓ２の端）に近接して設けられる。従って、露出面３１０ａおよび露出面３２０ａが撥水領域Ｒ１および撥水領域Ｒ２として機能することで、壁面ＷＳａおよび壁面ＷＳｂを流れた水滴が第２表面Ｓ２に広がることを効果的に防ぐことができる。
【００８６】
（第１変形例）
図９は、実施形態の第１変形例に係る便座の一部を表す断面図である。
図９では、内周支持部１１０の一部および内周側壁部２１０の一部を表している。
【００８７】
図９（ａ）に表したように、露出面３１０ａは、上方に向けて窪んでいても良い。この場合、露出面３１０ａは、例えば、底板１００の底面１００ｂよりも上方に位置し、垂下部２１３の下端よりも上方に位置する。すなわち、第２表面Ｓ２の撥水領域Ｒ１が、第２表面Ｓ２の他の領域よりも上方に位置していても良い。
【００８８】
または、図９（ｂ）に表したように、露出面３１０ａは、下方に向けて膨らんでいても良い。この場合、露出面３１０ａは、例えば、底板１００の底面１００ｂよりも下方に位置し、垂下部２１３の下端よりも下方に位置する。すなわち、第２表面Ｓ２の撥水領域Ｒ１が、第２表面Ｓ２の他の領域よりも下方に位置していても良い。
【００８９】
ここでは、露出面３１０ａについて説明したが、露出面３２０ａについても同様である。すなわち、露出面３２０ａ（撥水領域Ｒ２）が、第２表面Ｓ２の他の領域よりも上方に位置していても良いし、露出面３２０ａ（撥水領域Ｒ２）が、第２表面Ｓ２の他の領域よりも下方に位置していても良い。
【００９０】
図９（ａ）および図９（ｂ）に表したように、撥水領域Ｒ１および撥水領域Ｒ２と、第２表面Ｓ２の他の領域と、の間には、微小な段差などが形成されていても良い。このような構成においても、撥水領域Ｒ１および撥水領域Ｒ２が設けられていることで、第２表面Ｓ２における水滴の広がりを抑制できるためである。
ただし、撥水領域Ｒ１および撥水領域Ｒ２が第２表面Ｓ２の他の領域に対して上方に窪んでいると、第２表面Ｓ２に回り込んだ水滴が、撥水領域Ｒ１および撥水領域Ｒ２を越えて第２表面Ｓ２に広がる可能性がある。また、撥水領域Ｒ１および撥水領域Ｒ２が第２表面Ｓ２の他の領域に対して下方に窪んでいると、第２表面Ｓ２に回り込んだ水滴が、撥水領域Ｒ１および撥水領域Ｒ２によって弾かれず、これらの撥水領域の近傍に留まり易くなる。第２表面Ｓ２において、撥水領域Ｒ１および撥水領域Ｒ２と他の領域との間に段差があると、第２表面Ｓ２を清掃する際に、これらの撥水領域近傍の水滴や汚れが拭き取り難くなり、汚れが溜まり易くなってしまう。
これに対して、図４に表したように、撥水領域Ｒ１および撥水領域Ｒ２と、便座１０表面のこれら撥水領域以外の領域と、が滑らかに連なることで、水滴が第２表面Ｓ２に広がることを効果的に抑制するとともに、滴下しなかった場合でも水滴や汚れを拭き取り易くなる。従って、このような構成によれば、第２表面Ｓ２に汚れが残りにくく且つ第２表面Ｓ２の汚れを拭き取り易くなり、便座１０の清掃性をさらに高めることが可能となる。なお、複数の領域が滑らかに連なるとは、例えば、複数の領域の間に段差が形成されておらず、これらの領域の間で角や窪みが形成されていない状態を言う。
【００９１】
（第２変形例）
図１０および図１１は、実施形態の第２変形例に係る便座の一部を表す断面図である。
図１０（ａ）および図１１（ａ）は、内周支持部１１０の一部および内周側壁部２１０の一部を表している。図１０（ｂ）および図１１（ｂ）は、外周支持部１２０の一部および外周側壁部２２０の一部を表している。
【００９２】
本変形例に係る便座では、図１０（ａ）に表したように、撥水領域Ｒ１が、第１表面Ｓ１の傾斜面ＩＳａに設けられている。図１０（ｂ）に表したように、撥水領域Ｒ２が、第１表面Ｓ１の傾斜面ＩＳｂに設けられている。撥水領域Ｒ１および撥水領域Ｒ２は、便座１０の表面において、それぞれ、内周側壁部２１０の直下および外周側壁部２２０の直下に位置している。
【００９３】
例えば、鉛直方向に沿う壁面ＷＳａに撥水領域Ｒ１が設けられていると、壁面ＷＳａにおける水滴の流れが撥水領域Ｒ１で止まり、壁面ＷＳａに汚れが付着し易くなる。これに対して、壁面ＷＳａよりも下方に向いた傾斜面ＩＳａに撥水領域Ｒ１が設けられている場合、水滴は、壁面ＷＳａから傾斜面ＩＳａに容易に回り込むとともに、撥水領域Ｒ１で弾かれて滴下し易くなる。同様に、傾斜面ＩＳｂに撥水領域Ｒ２が設けられことで、水滴が滴下し易くなる。従って、本変形例においても、水滴に含まれる汚れが第２表面Ｓ２に広がり難く、便座１０の清掃性を向上させることができる。
【００９４】
撥水領域Ｒ１は、傾斜面ＩＳａの一部のみに設けられていても良いし、傾斜面ＩＳａの全体に設けられていても良い。撥水領域Ｒ２は、傾斜面ＩＳｂの一部のみに設けられていても良いし、傾斜面ＩＳｂの全体に設けられていても良い。また、図１０（ａ）および図１０（ｂ）に表したように、撥水領域Ｒ１の一部および撥水領域Ｒ２の一部が、第２表面Ｓ２に設けられていても良い。
【００９５】
図１１（ａ）および図１１（ｂ）に表したように、傾斜面ＩＳａおよび傾斜面ＩＳｂが湾曲していても良い。この構成によれば、図８（ａ）および図８（ｂ）に表した構成と同様に、水滴がより第１表面Ｓ１から第２表面Ｓ２に回り込み易くなる。これにより、便座１０の清掃性をさらに向上させることができる。
【００９６】
本変形例に係る便座において、図９（ａ）に表したように、露出面３１０ａおよび露出面３１０ｂが、上方に向けて窪んでいても良い。または、図９（ｂ）に表したように、露出面３１０ａおよび露出面３１０ｂが、下方に向けて膨らんでいても良い。
ただし、上述したように、便座１０の清掃性向上のためには、撥水領域Ｒ１および撥水領域Ｒ２と、第１表面Ｓ１のこれら撥水領域以外の領域と、が滑らかに連なっていることが望ましい。
【００９７】
なお、撥水領域Ｒ１の撥水性と第１表面Ｓ１の撥水性とは、例えば、以下の方法により比較することができる。
撥水領域Ｒ１を鉛直上方に向けて便座１０を載置し、撥水領域Ｒ１に複数の水滴を落とす。撥水領域Ｒ１に落とされた水滴の、水平面に対する接触角を測定する。例えば、１０の水滴に対して、それらの接触角を測定し、その平均を算出する。
続いて、第１表面Ｓ１の壁面ＷＳａを鉛直上方に向けて便座１０を載置し、壁面ＷＳａに複数の水滴を落とす。壁面ＷＳａに落とされた水滴の、水平面に対する接触角を測定する。撥水領域Ｒ１の接触角を測定したときと同様の数の水滴に対して、それらの接触角を測定し、その平均を算出する。
撥水領域Ｒ１における接触角の平均値と、第１表面Ｓ１における接触角の平均値と、を比較し、より接触角が大きい方が、撥水性が高い。
また、撥水領域Ｒ２の撥水性と第１表面Ｓ１の撥水性との比較も、この方法により行うことができる。
【００９８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、底板１００および上板２００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９９】
２ トイレ装置、  ４ 便座装置、  ６ 便器、  ６ａ ボウル部、  １０ 便座、  １０ａ 開口部、  １２ 便蓋、  １４ 本体部、  １００ 底板、  １００ａ 開口部、  １００ｂ 底面、  １１０ 内周支持部、  １１１ 内側リブ、  １１２ 外側リブ、  １２０ 外周支持部、  １２１ 内側リブ、  １２２ 外側リブ、  １３０ 底板基部、  １３１ 支持足、  １４０ 突出部、  １５０ 突出部、  ２００ 上板、  ２００ａ 開口部、  ２１０ 内周側壁部、  ２１１ 側壁基部、  ２１２ 差込部、  ２１３ 垂下部、  ２１４ 凹部、  ２２０ 外周側壁部、  ２２１ 側壁基部、  ２２２ 差込部、  ２２３ 垂下部、  ２２４ 凹部、  ２３０ 着座部、  ３１０ 接合部材、  ３１０ａ 露出面、  ３２０ 接合部材、  ３２０ａ 露出面、  Ｄ１〜Ｄ４ 距離、  Ｇ ゲート、  ＩＳａ、ＩＳｂ 傾斜面、  Ｍ１、Ｍ２ 金型、  Ｐ 突部、  Ｒ１、Ｒ２ 撥水領域、  Ｓ 内部空間、  Ｓ１ 第１表面、  Ｓ２ 第２表面、  Ｔ 溝、  Ｔ１、Ｔ２ 厚み、  Ｗ１〜Ｗ４ 幅、  ＷＳａ、Ｗｓｂ 壁面
【図１】
2018187350.tif 000003
【図２】
2018187350.tif 000004
【図３】
2018187350.tif 000005
【図４】
2018187350.tif 000006
【図５】
2018187350.tif 000007
【図６】
2018187350.tif 000008
【図７】
2018187350.tif 000009
【図８】
2018187350.tif 000010
【図９】
2018187350.tif 000011
【図１０】
2018187350.tif 000012
【図１１】
2018187350.tif 000013